Podtech/llm-jp-corpus-v4-ja_patent huggingface dataset:
(57)【要約】【課題】手を濡らさずに野菜などを洗浄又は調理する為に、左右分離接続が自在に可能で、挟む機能と絞る機能を併せ持つトングを提供する。【解決手段】トングの柄上部を着脱可能な形状を持たせる（１）（２）（３）（４）。片側の面に水を切るための穴を開ける（６）。トングを分離させ、次に、先端部分（７）（８）を結合させることによりてこ原理を利用して絞る。【選択図】図３
2008194410.tif 000002
【特許請求の範囲】
【請求項１】
左右分離接続が可能で、物を挟む機能と水分を絞る機能とを併せ持つトング。
【発明の詳細な説明】
【技術分野】
【０００１】この発明は、左右分離接続が自在に可能で、物を挟む機能と絞る機能を併せ持つトングに関するものである。
【背景技術】
【０００２】従来、トングは物を挟む、又は、つまみ上げる為の道具であり、挟んだ野菜などを絞る為には手を使用する必要があった。
【発明の開示】
【発明が解決しようとする課題】
【０００３】（１）怪我などで手を使えない際、野菜を洗浄したり、調理したりする事が困難であった。
（２）挟む、洗う、絞る等それぞれの行為に合わせて、それぞれの道具を使用すると、多量の道具が必要であった。
本考案は、以上のような欠点をなくすためになされたものである。
【課題を解決するための手段】
【０００４】トングの付け根部分を着脱が自在に出来るよう、差込部分を持たせる（１）（２）。トングａに網状又は、すのこ状又は、複数の穴を設け、水切り機能を持たせる。左右を分離させ、（７）に（８）を差し込み、てこの原理を利用し水分を絞る。必要に応じて（１）に（２）を差込み再び結合させる。
【発明の効果】
【０００５】左右を結合させた状態で、野菜などを挟み水中で上下左右にゆすり汚れを落とすことができる。洗い終わった野菜などを挟み、鍋、フライパン等まで運ぶ。必要に応じてトングを分離させ調理に使用できる。左右分離後、先端部分（７）に（８）を差込み、てこ原理を利用し、茹で上がった野菜を絞り水気を切る。従来それぞれの行為をそれぞれの道具で行っていたが、挟む行為と絞る行為を併せ持たせることにより使用する道具の数を減らすことが出来た。又、直接水に触れず野菜などの汚れを落とし調理できる為、怪我などで水仕事が出来ない状態にある者にも、手を濡らすことなく容易に野菜などの洗浄、調理を可能にすることができる。挟む行為と、絞る行為を併せ持たせる事により、調理行為のみならず、少量の洗濯にも使用可能である。手を濡らすことが困難な状態にある者の日常生活をより快適に送らせることに有効である。
【発明を実施するための最良の状態】
【０００６】以下、本発明の実施例について説明する。
トングの左右を分離、接続が自在に出来る形状を持たせる為にトングａに（１）の穴を開け、反対側のトングｂの付け根部分を湾曲させ（２）の形状にし（１）に差し込む。（３）に（４）を引っ掛け、使用時容易に外れないようにする。トングａの挟む面を網状、すのこ状、又は、複数の穴を開け水が切れる形状にする（４）。次に、左右を分離させ、水分を絞る為に（７）の穴を開け、反対側のトングの先に（８）の出っ張りを持たせる。穴を開けずに窪みを持たせ、出っ張りの代わりに引っかかる形状の物を持たせても良い。（７）に（８）を差込み、てこ原理を利用し絞る。効果的に絞る為に（９）の背面に膨らみを持たせても良い。
【図面の簡単な説明】
【０００７】
【図１】本発明の斜視図である。
【図２】本発明の斜視図である。
【図３】本発明実施例の斜視図である
【図４】本発明実施例の斜視図である
【符号の説明】
【０００８】１    トング接続部位
２    トング差込部
３    差込部（４）の引っ掛け部
４    接続部（３）の引っ掛け部
５    面ａ
６    水切り穴
７    （８）の差込穴
８    （７）へ差し込み部
９    面ｂ
【図１】
2008194410.tif 000003
【図２】
2008194410.tif 000004
【図３】
2008194410.tif 000005
【図４】
2008194410.tif 000006
(57)【要約】【課題】ハンガーにかけられたものが落ちないように、固定・保持用のピンチを取り付け、これを使用し容易に挟み込み脱落を防止するピンチ付ハンガーを提供する。【解決手段】ピンチ「１」の一端に紐状「２」のものをつけ、その反対の一端をハンガーの支柱部分「３」に取り付ける。本発明は、以上の構成よりなる、ピンチ付ハンガーである。【選択図】図１
2008194408.tif 000002
【特許請求の範囲】
【請求項１】
ハンガーの支柱にピンチをつけたピンチ付ハンガー
【発明の詳細な説明】
【技術分野】
【０００１】この発明は、ハンガーの支柱に、ピンチを付けたピンチ付ハンガーである。
【背景技術】
【０００２】従来、ハンガーはピンチとハンガーは別々になっていた。
【発明の開示】
【発明が解決しようとする課題】
【０００３】これは次のような欠点がある。
少し着古した洗濯物をハンガーにかけたとき、ずり落ちそうにかかっていることがよく見られる。このような時、別なところにかけてあるピンチ（洗濯バサミ）を取り外してハンガーの洗濯物をハンガーから落ちないように固定・保持する。これは不便なものであり、固定・保持に使われたピンチは、洗濯物をしまいこむとき、これをはずし、はずしたピンチはまた別のところに戻すこととなる。本発明は、以上の不便性を解決するものである。
【課題を解決するための手段】
【０００４】ピンチの一端に紐状のものをつけ、その反対の一端をハンガーの支柱の適当な部分に取り付ける。
本発明は、以上の構成よりなるピンチ付ハンガーである。
【発明の効果】
【０００５】ピンチがハンガーと一体になっているので、ずり落ちそうな洗濯物は、直ぐピンチでとめられ、取り込むときはピンチをはずせばいい。このピンチを使用する必要のないときは、このピンチを他のものの固定・保持に使用できる。
【発明を実施するための最良の形態】
【０００６】以下、本発明を実施するための最良の形態について説明する。
ピンチをつけた紐状の断端をハンガーの支柱の適当な部分に取り付ける。取り付け方法は接着または穴を開け、紐を通してもいい。
【図面の簡単な説明】
【０００７】
【図１】本発明の正面図である。
【図２】本発明の使用状態の図である。
【符号の説明】
【０００８】１．  ピンチ
２．  取り付け紐
３．  ハンガーの支柱部分に取り付け
４．  ハンガー
５．  ピンチ「１」で洗濯物を固定・保持している
６．  洗濯物
【図１】
2008194408.tif 000003
【図２】
2008194408.tif 000004
(57)【要約】【課題】従来の手術用外套管は、内径が変更できないという問題があった。その構造上、組織穿刺時には細経にしておき、手術操作時には必要な内径に変更するという操作ができない。本発明は従来の欠点を解決し、任意の内径へ変更できる外套管として、適切な術野を提供できるものである。【解決手段】透明フィルムを筒状に丸めることで手術用外套管等として使用することができる。筒の周囲に任意の内径および形態のリングを設置することで、一定の内径の筒状の形態を保持する。これにより、透明フィルム挿入時には、最も細径として挿入し、操作開始時に必要な内径に拡張して使用することができる。また、手術操作中に必要に応じて大きな内径のリングへ変更することで、透明フィルムの内径を変更して使用できる。【選択図】図１
2008194426.tif 000002
【特許請求の範囲】
【請求項１】
主に脳神経外科手術時に使用するための、筒状に丸めることで神経内視鏡使用時の透明シースのように使用できる透明フィルム本体と、前透明フィルム周囲に任意の内径を有するリングを装着することで、透明フィルムによって形成される筒の内径を規定できる透明フィルム。
【請求項２】
透明フィルムの筒の形態と内径を保つための請求項１記載の任意の内径および形態を有するフィルム用リング。
【請求項３】
透明フィルムによる筒を細く丸める際に、丸めたフィルムの最も内側となる部分を把持するための弁状の突起部を有する請求項１記載の透明フィルム。
【請求項４】
請求項２に記載のリングを固定する糸等を通すための、丸めたフィルムの最も外側となる部分に複数の小孔を有する請求項１記載の透明フィルム。
【請求項５】
主に脳神経外科手術の術野を確保するための脳箆の代わりに、円筒状の術野を提供することが可能な透明フィルム。
【請求項６】
細く丸めた透明フィルムを挿入する時に用いる先端が鈍となっている内套。
【発明の詳細な説明】
【技術分野】
【０００１】本発明は、筒状に丸めることで手術用外套管等として使用可能な透明フィルムに関する。
【背景技術】
【０００２】従来の手術用外套管は、外径および内径が規定された筒状の構造であった。
【発明の開示】
【発明が解決しようとする課題】
【０００３】  従来の手術用外套管は、最初から内径が規定され、手術の種類や術中の状況により内径の変更が不可能であった。外套管挿入時に外套管を細くすることができないため、挿入時にある程度の組織損傷が予想される。【０００４】  本発明は、外套管挿入時には、最も細経とし、手術操作時には必要とされる内径に拡張することで、挿入時の組織損傷を最小限とすることを目的とし、また手術操作中に必要な内径に変更できることを目的とするものである。
【課題を解決するための手段】
【０００５】  本発明は上記目的を達成するために筒状に丸めることで神経内視鏡使用時の透明シースのように使用できる透明フィルム本体と、前透明フィルム周囲に任意の内径を有するリングを装着することで、透明フィルムによって形成される筒の内径を規定できるようにしたものである。【０００６】  上記解決手段による作用は次の通りである。すなわち、透明フィルムを筒状に丸めて使用することで、透明な手術外套管として使用できる。そして、透明なフィルムを巻く直径を変えることで、内径を任意に変更することができる。筒状の構造を保つために周囲にリングを設置することができ、そのリングの内径を変更することで任意の内径を持つ筒状の構造を保持することができる。
【発明の効果】
【０００７】  上述したように、本発明の手術用透明フィルムは、フィルムを巻いた筒の内径を適宜変更することにより、適切な術野を提供できる。【０００８】  また、本透明フィルムはある程度の柔軟性を有しているため、楕円形のリングを用いたりすることで、楕円形の術野を提供するように変更することも可能である。また、比較的大型のリングを使用することで、脳篦の代わりに円筒状の術野を提供することが可能となる。
【発明を実施するための最良の形態】
【実施例】
【０００９】  以下、本発明の実施の形態を図１に基づいて説明する。【００１０】  図においては、１に示す透明フィルム本体は台形に近い形態をしており、上底と下底はゆるやかな弧状となっている。２のごとく、フィルムに弁状の突起部分があり、フィルムを丸めたときに最も内側に位置する。２を把持することで、フィルムを細く丸める操作が容易になる。また、３はリングを固定するための糸等を通すための小孔である。【００１１】  内套５にフィルムを細く巻きつけ最も細径となるように固定する。また、その際に小孔３に糸を通して、リング４を固定する。【００１２】  目的の位置まで穿刺した後、内套５を抜去する。次にフィルムの固定を解除するとリング４の内径までフィルムが拡大し、筒状の構造をとる。
【図面の簡単な説明】
【００１３】
【図１】本発明の各部品と本発明の実施形態
【符号の説明】
【００１４】      １  透明フィルム本体
２  把持用弁状突起
３  リング固定用小孔
４  フィルム用リング
５  内套
【図１】
2008194426.tif 000003
(57)【要約】【課題】  市販の靴底、中敷の土踏まず部に装着、健康面、衛生面、マナー面で優れた山型銅板を提供する。【解決手段】  銅板（４）をネット（８）で装着し、銅板（４）は足の形に合うような山型にし、頂上部は小さな凹凸部（７）にして、ネット（８）に面ファスナーの雌面を装着し、面ファスナー雌面（３）にサイズが少し大きめの面ファスナーの雄面（２）を装着し、面ファスナーの雄面（２）の片面に接着部（５）を設けたことを特徴とした、靴底、中敷の土踏まず部に装着する山型銅板。【選択図】図１
2008194425.tif 000002
【特許請求の範囲】
【請求項１】
（イ）銅板（４）をネット（８）で装着する。
（ロ）銅板（４）は足の形に合うような山型にし、頂上部は小さな凹凸部（７）にする。
（ハ）ネット（８）に面ファスナーの雌面を装着する。
（ニ）面ファスナー雌面（３）にサイズが少し大きめの面ファスナーの雄面（２）を装着する。
（ホ）面ファスナーの雄面（２）の片面に接着部（５）を設ける。
以上のように構成された、靴底、中敷の土踏まず部に装着する山型銅板。
【発明の詳細な説明】
【技術分野】
【０００１】  本発明は、市販の靴、中敷の土踏まず部に着、脱、移動可能な靴底、中敷の土踏まずに装着する山型銅板に関するものである。
【背景技術】
【０００２】  従来から抗菌用、消臭用と称する商品は数多く市販されている。
【発明の開示】
【発明が解決しようとする課題】
【０００３】  従来のものは、新しいときは良いが使い込んでくるとその効果は半減またはなくなっていた。
【課題を解決するための手段】
【０００４】（イ）銅板（４）をネット（８）で装着する。
（ロ）銅板（４）は足の形に合うような山型にし、頂上部は小さな凹凸部（７）にする。
（ハ）ネット（８）に面ファスナーの雌面を装着する。
（ニ）面ファスナー雌面（３）にサイズが少し大きめの面ファスナーの雄面（２）を装着する。
（ホ）面ファスナーの雄面（２）の片面に接着部（５）を設ける
以上のように構成された、靴底、中敷の土踏まず部（１）に装着する山型銅板。
【発明の効果】
【０００５】  本発明は、銅イオンが臭いの元であるハクセン菌の発生を抑えることができる。
銅イオンで水虫菌を抑えることができる。
土踏まずを刺激することで、足の疲れを柔らげられる。
外反母趾の改善ができる。
主に以上のような効果がある。
なお、銅板は使い込む程銅イオンの発生が増すと共に面ファスナーがクッションになり、銅板の凹凸部が土踏まず部（１）に、心地よい刺激を与えることができる。
靴底、中敷の土踏まず部に山型の銅板を使ったことと装着に面ファスナーを使ったことで、足の臭い、疲れが改善され装着時の心地良さも加わった装着具である。
【発明を実施するための最良の形態】
【０００６】（イ）銅板（４）をネット（８）で装着する。
（ロ）銅板（４）は足の形に合うような山型にし、頂上部は小さな凹凸部（７）にする。
（ハ）ネット（８）に面ファスナーの雌面を装着する。
（ニ）面ファスナー雌面（３）にサイズが少し大きめの面ファスナーの雄面（２）を装着する。
（ホ）面ファスナーの雄面（２）の片面に接着部（５）を設ける。
以上のように構成された、靴底、中敷の土踏まず部（１）に装着する山型銅板。
靴底、中敷の形状は、従来と同じ型でできるだけシンプルなものが良く、土踏まずの部分に銅板を装着、風通しの良いネット状の物で銅板を包み、装着は面ファスナーを使用する。
着、脱、移動を可能にする。
銅板の山型は大、中、小を準備し、中敷本体側の面ファスナーを少し大きめにすることで、足に合わせた装着を可能にする。
山型銅板を靴底、中敷の土踏まず部（１）に装着することで衛生、健康面に長時間の効果が得られる。
また、靴、中敷本体が古くなり、交換するときには、銅板を取り出し、新しいものへ装着ができる。
【図面の簡単な説明】
【０００７】
【図１】  本発明の平面図である。
【図２】  本発明の立面図である。
【図３】  本発明の使用状況を示した平面図である。
【符号の説明】
【０００８】      １  靴底の土踏まず部
２  面ファスナー雄
３  面ファスナー雌
４  ネットで包んだ銅板（山型）
５  面ファスナーの接着部
６  靴底本体
７  銅板の凹凸部
８  ネット
【図１】
2008194425.tif 000003
【図２】
2008194425.tif 000004
【図３】
2008194425.tif 000005
(57)【要約】【課題】  乳幼児の洗髪をする時、片方の手は乳幼児の体または首を支えておりもう片方の手はシャワーヘッドを持っており、シャンプーした後を洗い流す時シャワーでかけるだけの作業になり十分洗い流す事が出来なかった。【解決手段】  シャワーヘッドに容易に着脱可能なもので、開閉式蓋を開き、そこにシャワーヘッドを入れ開閉式蓋を閉めシャワーヘッドを囲むように密着するゴムを設ける事によりシャワーヘッドの安定性を保ち、ゴム製突起物を設ける事によりシャンプー後の洗い流しが十分に出来る様になる。シャワーヘッドを密着させるゴムを取り付ける事によりシャワーヘッドの形状が異なるものでも取り付け可能となる。【選択図】図１
2008194429.tif 000002
【特許請求の範囲】
【請求項１】
シャワーヘッドに容易に着脱可能なもので、開閉式蓋を開きそこにシャワーヘッドを入れ蓋を閉めシャワーヘッドを囲むように密着するゴムを設ける事によりシャワーヘッドの安定性を保ち、乳幼児の洗髪をする際に洗髪をする者が片方の手で乳幼児の体または首を支えておりもう片方の手しか使えない場合でも容易に洗髪する事が出来るようにしたゴム製突起物の付いた洗髪用補助具。
【発明の詳細な説明】
【技術分野】
【０００１】  本発明は乳幼児の洗髪をする洗髪用補助具に関する。
【発明の開示】
【発明が解決しようとする課題】
【０００２】  乳幼児の洗髪をする時、片方の手は乳幼児の体または首を支えておりもう片方の手にシャワーヘッドを持っておりシャンプーした後を洗い流す時、シャワーをかけるだけになり十分に洗い流す事が出来なかった。
【課題を解決するための手段】
【０００３】  乳幼児の洗髪をする際に洗髪する者が、片方の手で乳幼児の体または首を支えておりもう片方の手しか使えない時、シャンプーした後に洗い流す事を容易に出来る様にシャワーヘッドに着脱可能なゴム製突起物のついた洗髪用補助具を取り付けるものである。
【発明の効果】
【０００４】  上述したように本発明の洗髪用補助具は、片方の手だけしか使えない場合シャワーを使い洗髪する者の洗い流しの不便さを解消する事が出来る。
【発明を実施するための最良の形態】
【０００５】  以下、本発明の実施の形態を図１〜図４に基づいて説明する。【０００６】  図においては、１は洗髪する為のゴム製突起物で円周上に付いており人の指先の様に先端は軟らかくそれ以外の部分は硬めになっている。２はゴム製突起物１を支えるゴムでゴム製突起物１の根元部分は支えるゴム２と一体化となっており弾力性のあるゴムを使用しゴム製突起物１が頭部の丸みに対し均一に接する様になっている。３は上方から４は下方からシャワーヘッドを支えるゴムになりこれによりシャワーヘッドを固定する。５はプラスチックカバーになる。６はシャワーヘッドが前方へ動くのを止めるプラスチック製板で７．８はシャワーヘッドが左右に動くのを止めるプラスチック製板になる。９は洗髪する際に手の指４本（人差し指・中指・薬指・小指）を入れる枠で１０もしくは１１は親指を入れる枠でこの洗髪用補助具を使用する時に使う。１２はシャワーヘッドを支えるゴム３．４と一体となったゴムで上下左右からシャワーヘッドを包みこんで固定するゴムでこの部分はシャワーヘッドを密着させる為に軟らかいゴムを使用している。【０００７】  １３．１４はシャワーヘッドを包みこんで固定するゴム１２でシャワーヘッドを包み込む為に開閉式蓋１５が左上、開閉式蓋１６が右上に開閉する為の止め具となる。１７．１８は開閉式蓋１５．１６を閉じた時に開かない様にする為の止め具となる。１９．２０．２１．２２はゴム製突起物１とは別に４箇所ゴム製突起物を設ける事によりもみあげ等の部分を洗髪する際に容易に洗髪出来る様にしたゴム製突起物である。２３．２４は開閉蓋１５．１６の縁に密着度を増す為に付けたゴムである。【０００８】  以下、上記構成の使用方法を説明する。開閉式蓋１５．１６を開けその中にシャワーヘッドを入れ開閉式蓋１５．１６を閉め止め具１７．１８にて開閉式蓋１５．１６が開かない様に固定する。シャワーヘッドを支えるゴム３．４及びシャワーヘッドを包みこんで固定するゴム１２にてシャワーヘッドを固定する。手の指４本（人差し指・中指・薬指・小指）を入れる部分の枠９及び親指を入れる枠１０．１１のいずれかに指を入れ、洗髪用補助具を包み込むように手で持ち洗髪する。以上のように本実施形態によれば片手で十分なシャンプー等の洗い流しの不便さが解消される事が出来る。シャンプー後の洗い流しは勿論、シャンプーを付けた時にもシャワーの水を止めて使えばシャンプー使用時にも利用する事が出来る。
【図面の簡単な説明】
【０００９】
【図１】  本発明の実施形態を示す洗髪用補助具の部分断面図
【図２】  シャワーヘッドを取り付ける側から見た外観図
【図３】  図２におけるＡ−Ａ線断面図
【図４】  図２における開閉式蓋を開いた時の外観図
【符号の説明】
【００１０】  １  ゴム製突起物
２  ゴム製突起物を支えるゴム
３  シャワーヘッドを上方から支えるゴム
４  シャワーヘッドを下方から支えるゴム
６  シャワーヘッドを前方に動かなくするプラスチック製板
７  シャワーヘッドを左に動かなくするプラスチック製板
８  シャワーヘッドを右に動かなくするプラスチック製板
１２  シャワーヘッドを包みこんで固定するゴム
１９  もみあげ等の部分を洗髪する際に使用出来るゴム製突起物
２０  もみあげ等の部分を洗髪する際に使用出来るゴム製突起物
２１  もみあげ等の部分を洗髪する際に使用出来るゴム製突起物
２２  もみあげ等の部分を洗髪する際に使用出来るゴム製突起物
２３  密着度を増す為に付けたゴム
２４  密着度を増す為に付けたゴム
【図１】
2008194429.tif 000003
【図２】
2008194429.tif 000004
【図３】
2008194429.tif 000005
【図４】
2008194429.tif 000006
(57)【要約】【課題】従来、靴の中敷に銅及びアルミニウムを取り付けた消臭効果を目的とした靴の中敷が提供されてきた。しかしながらアルミニウムはアルツハイマーとの関連が危惧されている。皮膚からのアルミニウムの浸透の可能性についても心配されており、整汗剤はアルミニウムを含まない製品が提供されつつある。靴の中敷に使用した場合も同様の問題がある。【解決手段】本発明はアルミニウムの代替品としてマグネシウムまたはマグネシウム合金を採用し、銅または銅合金及びマグネシウムまたはマグネシウム合金を靴の中敷に取り付けて課題を解決するものである。更には銀入り銅とマグネシウムまたはマグネシウム合金との組み合わせ、更に銀とマグネシウムまたはマグネシウム合金との組み合わせで抗菌効果を高める構成とするものである。【選択図】図１
2008194428.tif 000002
【特許請求の範囲】
【請求項１】
靴の中敷に銅または銅合金及びマグネシウムまたはマグネシウム合金を取り付けて構成した靴の中敷
【請求項２】
低温溶射工法により銅または銅合金及びマグネシウムまたはマグネシウム合金を靴の中敷に低温溶射した請求項１の靴の中敷
【請求項３】
銅部が銀入り銅である請求項１の靴の中敷
【請求項４】
靴の中敷に銀及びマグネシウムまたはマグネシウウム合金を取り付けて構成した靴の中敷
【発明の詳細な説明】
【技術分野】
【０００１】この発明は、靴の中敷に関するものである。
【背景技術】
【０００２】従来、靴の中敷の消臭改善効果を目的とし、靴の中敷に銅とアルミニウムを取り付ける特許第１０４２４３１号が提案されていた。この方式は銅とアルミニウムの電極電位差を利用して微弱な電流を発生させてこの電流により、銅イオンの抗菌効果を促し、更に汗の成分中の塩素を電気分解することによって塩素による抗菌効果を発生させるものである。
【発明の開示】
【発明が解決しようとする課題】
【０００３】前記の従来方式は銅とアルミニウムを靴の中敷に取り付ける方法であるが、アルミニウムは近年アルツハイマーとの関係が問題化している。アルミニウムとアルツハイマーとの因果関係が問題化した事件は１９７６年に溯る。当時、ヨーロッパで人工透析治療中の患者が揃って痴呆症状が発生した。この原因が透析流路中のアルミニウム容器から流出したアルミニウムが原因と推定された。その後、アルミニウムのアルツハイマー原因説は広く研究されるようになり、多くの論争を巻き起こしている。２００２年６月５日、厚生労働省は「医薬品使用上の注意」でアルミニウムを含む医薬品について注意事項の変更点を示し、製薬会社に対し、能書きの早期改定を要請した。この内容は「してはいけないこと」の項の「次の人は服用しないこと」に「透析治療を受けている人」をさらに「長期服用をしないこと」を追記すること、「相談すること」の項では服用前に相談をする必要のある人に「腎臓病」を追記すると要請している。アルミニウムは経口摂取によるものの他、皮膚からの浸透であっても同じ様に危険であるとされ、整汗剤（デオドランド）はアルミニウムを含まないものが提供されつつある。アルミニウムを含んだ整汗剤を使用すると、アルミニウムがリンパ線から入り、女性の乳房に溜まり、ガン発生の危険性が高まるという発表もある。アルミニウムを含まない整汗剤の商品例としてはイスラエルのハラヴィン社が世界二十数ヵ国に販売しているＬＡＶＩＬＩＮ（ラヴィリン）がある。
【課題を解決するための手段】
【０００４】本発明はこの問題点を解決するため、靴の中敷に銅または銅合金及びマグネシウムまたはマグネシウム合金を取り付けてアルミニウムを使用しない手段により、課題を解決するものである。更に銀入り銅または表面が銀とマグネシウムとの組み合わせにより、抗菌効果を向上するものである。
【発明の効果】
【０００５】本発明は以上のような構成であるので、課題であるアルミニウムの健康被害の可能性を除去することが出来る。銅、アルミニウム、マグネシウムのイオン傾向と電極電位は次の通りである。
2008194428.tif 000003
以上のように銅との電位差はアルミニウムに比べてマグネシウムの方が大きく好都合である。この異種金属間の電位差による微弱な電流発生により、銅イオンの発生を促進し、銅イオンの抗菌効果、消臭効果を強化することが出来る。更に微弱電流が靴下の汗中の塩分と水分に働いて電気分解を起し、塩素を発生させて抗菌消臭効果を生み出す。本発明による銅とマグネシウム合金を取り付けた靴の中敷を５人で実験した結果は次の通りである。
2008194428.tif 000004
その他の効果としては後述する低温溶射を利用することにより、不織布、発泡性柔軟プラスチック材、皮革などに容易に銅または銅合金、マグネシウム合金を取り付けることが出来、量産化が可能となる。更に銀入り銅または表面が銀で構成したものとマグネシウムまたはマグネシウム合金との組み合せにより抗菌効果を向上出来る。銀は銅に比べて抗菌効果、消臭効果が優れている。
【発明を達成するための最良の形態】
【０００６】  本発明の一実施例について、図によって説明する。図１は本発明の構成を示す平面図である。靴の中敷１に銅部１−１とマグネシウム部１−２を図のように離して交互に配置する。マグネシウム部１−２は規格ＺＫ６０Ａ（マグネシウム９３％、亜鉛６％、ジルコニウム１％）などのアルミニウムを含まないマグネシウム合金を使用する。銅部１−１及びマグネウム部１−２の取り付け方法は一例として銅片及びマグネシウム合金片を靴の中敷にホットメルト接着する事が出来る。ポリエステル系ホットメルトは銅片、マグネシウム合金片の接着に適している。銅片及びマグネシウム合金片を接着出来るポリエステル系ホットメルトは東洋紡績（株）などが、提供している。別の取り付け方としては近年使用されつつある低温溶射工法がある。常温（３０度）で溶射メッキするもので銅とマグネシウム合金は使用可能である。低温溶射工法による方法は１回の溶射で８００ミクロン溶射が出来、ミリ単位の厚みまで可能である。低温溶射工法による方法は省力化が出来る。銅部１−１及びマグネシウム部１−２の取り付け方法はこの他かしめや縫製などの方法でも出来る。銅部１−１は銀入り銅を使用することで抗菌効果を高めることが出来る。工業材料として使用されている０．０８％の銀含有の銅条があり、これを使用することが出来る。更に金属やプラスチックの表面を銀メッキ施した銀部とマグネシウム部を靴の中敷に取り付けて構成する方法も出来る。
【図面の簡単な説明】
【０００７】
【図１】本発明の実施例の形態に従った一実施例の平面図である。
【符合の説明】
【０００８】１：靴の中敷
１−１：銅部
１−２：マグネシウム部
【図１】
2008194428.tif 000005
(57)【要約】【課題】ゴムひもに中玉と飾りをつけた髪飾りを提供する。【解決手段】一本のゴムひもを、大小二つの輪が出来るように結び、その中間の結び目に中玉を固定し、小さい輪の先端に様々な飾りをつけて楽しむことが出来るヘアースタイルをともなった髪飾り。【選択図】図１
2008194427.tif 000002
【特許請求の範囲】
【請求項１】
ゴムひもを大小二つの輪が出来るように結び、その中間の結び目に中玉を固定し、さらに小さい輪の先端には、様々な飾りをつけることができることを特徴とするヘアースタイルをともなう髪飾り。
【発明の詳細な説明】
【技術分野】
【０００１】本発明はゴムひもと中玉を使ったヘアースタイルをともなう髪飾りに関するものである。
【背景技術】
【０００２】従来、髪の毛をまとめる時は三つ編みや、複数のゴムで束ねていた。
【発明の開示】
【発明が解決しようとする課題】
【０００３】そのために次のような問題点があった
（イ）三つ編みをするには技術と時間がかかった
（ロ）三つ編みが出来るほど髪の毛の長さや量が無い子でも可能になった
（ハ）複数のゴムひもを使う方法は一回一回強く縛らないとならないので手間がかかる
本発明はこれらの問題点を解決するために成されたものである。
【課題を解決するための手段】
【０００４】ゴムひもを大小二つの輪が出来るように結び、中間の結び目に中玉（穴のあいた玉）を固定し、また小さい輪の先端にようような飾りを着けることが出来る。以上を特徴とするヘアースタイルをともなう髪飾りである。
【発明の効果】
【０００５】短時間で簡単にかわいらしいヘアースタイルと髪飾りを楽しむことが出来る。
【発明を実施するための最良の形態】
【０００６】以下、本発明を実施の形態について説明する。
ゴムひも（１）を中玉（２）によってａの輪とｂの輪に区切り、二つのつながった輪を作る本発明は以上のような構成でこれを使用するときは中玉（２）を基点としてａの輪を束ねる髪の毛の根元を数回まわし中玉（２）に掛けてとめる。残ったｂの輪を数回クロスさせながら髪の先端方向に進み、（３）部分で止める。またａの輪の先端に様々な（Ｃ）飾りを着けて楽しむことが出来る。
【図面の簡単な説明】
【０００７】
【図１】本発明の斜視図
【図２】本発明の実施例を示す斜視図
【符号の説明】
【０００８】（１）ゴムひも
（２）中玉（穴のあいた玉）
（３）ｂのゴム終点
（ａ）小さい輪
（ｂ）大きい輪
（ｃ）様々な髪飾り
【図１】
2008194427.tif 000003
【図２】
2008194427.tif 000004
(57)【要約】【課題】本考案は浴槽側壁面の立ち上がった位置に排水口をとりつけて、一定量を保ちながら、水を流してのすすぎ洗いを可能とする。【解決手段】過重量で洗濯機を使用できない毛布やこたつ布団などを、浴槽を使って洗濯する際、浴槽側壁面に排水口を設けることにより、一定量の水を保ちながら、新しい水を流して、排水口から汚れた水をすてながら、すすぎ洗いを可能とする。また、新しい水を流し入れ、汚い水を都度流し捨てることができ、一定量の水を低い位地で保つことができるために、より清潔な半身浴、安全な子供の入浴を可能とするものである。【選択図】図１
2008194430.tif 000002
【特許請求の範囲】
【請求項１】
浴槽側壁面、底面から立ち上がった位置に排水口を設けた浴槽
【発明の詳細な説明】
【技術分野】
【０００１】  本考案は、浴槽側壁面、底面から立ち上がった位置に排水口を設け、（１）毛布や厚手のこたつ布団など、洗濯機では過重量のため洗濯できない洗濯物などを自宅で清潔な、水のすすぎ洗いを可能にする、（２）清潔な水を都度足し、側壁面の排水口から汚い水を流し捨てることを利用し、清潔な半身浴を可能にする、（３）清潔な水を都度足し、側壁面の排水口から汚い水を流し捨てることを利用し、一定量の水を低い位地で保つことにより、子供の入浴をより安全に、清潔に行なうことを可能にする、浴槽に関するものである。
【背景技術】
【０００２】  毛布や厚手のこたつ布団など自宅で洗う場合、過重量になるため洗濯機では洗うことが不可能である。洗濯機のすすぎ洗いと同様、一定量の水を保ちながら新しい水を足し、すすぎ洗いをし、洗濯機側面上部にとりつけた排水口から都度水を捨て、汚れた洗濯石鹸の水を薄めていくのが洗濯機によるすすぎ洗いの仕組みである。
本考案は、この洗濯機のすすぎ洗いからヒントを得て、過重量になる洗濯物を浴槽を使用して洗う際に、すすぎ洗いの段階で、底面の排水口では一定量の水を保ちながら、水を流しすすぎ洗いをすることが不可能であったことから、浴槽側壁面に排水口を設けることに至った。
【発明の開示】
【発明が解決しようとす課題】
【０００３】  水を含むと重量が過剰になるため、洗濯機を使用できなくなる洗濯物について、そのため、浴槽を使用することで、重量の大きな洗濯物を自宅で清潔なすすぎ洗いを可能とするものである。また、新しい水を流し入れ、汚い水を都度流し捨てることができ、一定量の水を低い位地で保つことができるために、より清潔な半身浴、寄り清潔で安全な子供の入浴を可能とするものである。
【課題を解決するための手段】
【０００４】  本考案は浴槽測壁面の立ち上がった位置に排水口を取り付けることにより、一定量の水を保ちながら水を流しすすぎ洗いを可能にするものである。排水口として使用しない際は、ネジ式のキャップを取り付けることにより、浴槽として使用する際の浴槽から水もれを防ぐものである。
【発明の効果】
【０００５】  浴槽測壁面に排水口を取り付けることにより、洗濯機では出来ない過重量の洗濯物の洗濯が可能となり、また使用しない際はキャップを取り付けることにより、浴槽として使用する際の水漏れをなくし、見た目にも見苦しいところはない。また、新しい水を流し入れ、汚い水を都度流し捨てることができ、一定量の水を低い位置で保つことができるために、より清潔な半身浴、より清潔で安全な子供の入浴を可能とするものである。
【発明の実施するための最良の形態】
【０００６】  以下、本発明の実施の形態を図に基づいて説明する。
【０００７】  浴槽底面と同様の排水口を側壁面に取り付け、使用しない際はねじ式のキャップをとりつけ、浴槽として使用する際の水もれを防ぎ、見た目も見苦しくないようにするものである。
【図面の簡単な説明】
【０００８】
【図１】本発明の実施形態を示す浴槽の全体図
【図２】同浴槽の横から見た断面図
【符号の説明】
【０００９】［図１］１  浴槽側壁面に設けた排水口
２  （従来の）底面排水口
３  浴槽
［図２］１  浴槽側壁面に設けた排水口
２  同排水口のねじ式キャップ
３  （従来の）底面排水口
４  浴槽
【図１】
2008194430.tif 000003
【図２】
2008194430.tif 000004
(57)【要約】      （修正有）【課題】墓地購入を不要とし、家庭内での供養を可能とする。【解決手段】ガラス、クリスタルガラス又は水晶で形成された透明又は半透明な球体１と、この球体に穿設され、仏像その他の仏具を収容するための孔２と、この孔の開口部に着脱自在に取り付けられる蓋体４と、この蓋体に形成された納骨用の孔５とを有する事を特徴とする。【選択図】図１
2008194419.tif 000002
【特許請求の範囲】
【請求項１】
ガラス、クリスタルガラス又は水晶で形成された透明又は半透明な球体と、
この球体に穿設され、仏像その他の仏具を収容するための孔と、
この孔の開口部に着脱自在に取り付けられる蓋体と、
この蓋体に形成された納骨用の孔と、
を有する事を特徴とする葬祭用具。
【請求項２】
前記球体を載置するための台座をさらに有する事を特徴とする請求項１に記載の葬祭用具。
【請求項３】
前記台座が御影石で形成されている事を特徴とする請求項２に記載の葬祭用具。
【発明の詳細な説明】
【技術分野】
【０００１】  本発明は、従来の規格に対して墓地不要とし、家庭内供養のおける軽量化に関する。
【背景技術】
【０００２】  墓地購入の費用が高額であるため、皆が購入する事が困難である。【０００３】  天候や道路事情に左右される。【０００４】  いつも故人の遺骨の傍に居られない。【０００５】  遠方への移住等により墓守が困難。【０００６】  外国人の遺骨の供養が困難。【０００７】  田舎を出て、都会暮らしの伴侶が供養する時、墓のある故郷までの時間と費用の負担。【０００８】  従来の大型である必要がない。
【発明の開示】
【発明が解決しようとする課題】
【０００９】  墓地購入の費用が高額であるため、皆が購入する事が困難であったが、誰もが墓を購入する事が出来る。【００１０】  天候や事情に左右されずに供養出来る。【００１１】  いつも故人の遺骨の傍に居られる。【００１２】  遠方への墓参りに生じる時間と交通費用の負担。【００１３】  日本在住、長期移住外国人のご家族、大切な方の遺骨の供養。
【課題を解決するための手段】
【０００４】  ガラス、クリスタルガラス又は水晶で形成された透明又は半透明な球体と、
この球体に穿設され、仏像その他の仏具を収容するための孔と、
この孔の開口部に着脱自在に取り付けられる蓋体と、
この蓋体に形成された納骨用の孔と、
を有する事を特徴とする葬祭用具。
【発明の効果】
【００１５】  墓地購入の費用が高額であるため、皆が購入する事が困難であったが、誰もが墓を購入する事が出来る。【００１６】  天候や道路事情に左右されずに供養出来る。【００１７】  いつも故人の遺骨の傍に居られる。【００１８】  遠方への墓参りに生じる時間と交通費用の削減。【００１９】日本在住、長期移住外国人のご家族、大切な方の遺骨の供養。
【発明を実施するための最良の形態】
【００２０】      ＜図１＞
１．ガラス、クリスタルガラス、水晶等の透明、又は半透明、又は模様入りの球体。【００２１】２．１の中心部に仏像、納骨室を入れる為の円柱の穴。【００２２】３．２の穴の中に純金、純銀、金メッキ、銀メッキ、銅製、真鋳、プラスチック、木製等の仏像、観音菩薩、阿弥陀如来、大日如来、釈迦牟尼仏、大曼荼羅等を固定し、又は固定させず祀る。【００２３】４．２の穴の中にガラス、クリスタルガラスで用いた３の仏像を外面天井部に固定する円柱の納骨に用いる台座。【００２４】５．４の中心部に円柱の納骨に用いる穴。【００２５】６．５の納骨に用いる穴に遺骨と共に入れる純金、純銀、金メッキ、銀メッキ、銅製、真鍮プラスチック、木製等の茶碗と箸。【００２６】７．１の座板、５の蓋となる純金、純銀、金メッキ、銀メッキ、銅製、真鍮、プラスチック、木製、石材等の円板。
＜図２＞【００２７】１．ガラス、クリスタルガラス、水晶等の透明、又は半透明、又は模様入りの球体。【００２８】２．１の中心部に、天井部に、仏像を固定させる蓋体付属の台座を差し込む、円柱の穴。【００２９】３．１の２に差込み、１を固定させる黒御影石、白御影石、赤御影石、青御影石又はガラス、クリスタルガラス、木製、純金、純銀、金メッキ、銀メッキ、銅製、真鍮、プラスチック等の逆Ｔ字型、円柱の台座。【００３０】４．３の先端部に納骨に用いる穴。【００３１】５．２の穴の中に純金、純銀、金メッキ、銀メッキ、銅製、真鋳、プラスチック木製等の仏像、観音菩薩、阿弥陀如来、大日如来、釈迦牟尼仏、大曼荼羅等を固定し、又は固定せず供える。【００３２】６．３の先端部、４の蓋、５の仏像を固定する黒御影石、白御影石、赤御影石、青御影石、又はガラス、クリスタルガラス、木製、純金、純銀、金メッキ、銀メッキ、銅製、真鍮、プラスチック等の蓋体。【００３３】７．３の下部側面に付属、固定する黒御影石、白御影石、赤御影石、青御影石又はガラス、クリスタルガラス、木製、純金、純銀、金メッキ、銀メッキ、銅製、真鍮、プラスチック等の立体、長方形型のネームプレート。【００３４】８．７を付属、固定させる為の、３下部側面の長方形型の凹み。
【産業上の利用可能性】
【００３５】  本発明は、墓、位牌、仏壇、遺骨の自宅供養に利用が可能である。
【図面の簡単な説明】
【００３６】
【図１】  本発明の一つの例である。
【図２】  本発明の他の例である。
【符号の説明】
【００３７】    ＜図１＞
１．ガラス球
２．穴
３．仏像
４．納骨室、及び仏像を祀る台
５．納骨に用いる穴
６．茶碗と箸
７．円形の台板。
＜図２＞
８．ガラス球
９．穴
１０．台座
１１．納骨に用いる穴
１２．仏像
１３．納骨に用いる穴の蓋
１４．ネームプレート
１５．ネームプレートをはめ込む凹み
【図１】
2008194419.tif 000003
【図２】
2008194419.tif 000004
(57)【要約】【課題】  この発明は、靴の中の夏の通気性と、冬の寒さの問題を解決するための、足むれと寒さ防止靴を提供する。【解決手段】  靴の前方上部に開口部を設け、マジックテープやファスナー等で開け閉めし、中にネットやメッシュ等を入れ通気性を確保し、使い捨てカイロ等も入れられ、低温やけども防げる足むれと寒さ防止靴である。【選択図】図１
2008194417.tif 000002
【特許請求の範囲】
【請求項１】
靴の前方上部に開口部を設け、マジックテープやファスナー等で開け閉めし
中にネットやメッシュを入れ通気性を確保し、使い捨てカイロ等も入れられ、低温やけども防げる、足むれと寒さ防止靴。
【発明の詳細な説明】
【技術分野】
【０００１】  この発明は、靴の通気性と、寒さ対策に関するものである。
【背景技術】
【０００２】  従来、仕事上一日中靴を履いていると、むれて、かなり足に負担が、かかっていた。
【発明の開示】
【発明が解決しようとする課題】
【０００３】  そのために、次のような問題点が生じていた。
（イ）一日中靴を履いていると、夏はむれるので、見えないところでサンダルに履き替えたり、冬は寒いので、厚めの靴下を履いたりしていた。
本発明は、以上の問題点を解決したものである。
【課題を解決するための手段】
【０００４】  靴の前方上部に開口部を設け、マジックテープやファスナー等で開け閉めし、
中にネットやメッシュを入れ通気性を確保し、使い捨てカイロ等も入れられ、低温やけども防げる、足むれと寒さ防止靴である。
【発明の効果】
【０００５】  したがって、仕事等で一日中靴を履く人にとって、自分で開口部を開け閉めすることによって、足むれの防止や寒さ防止に対処できる靴になる。
【発明を実施するための最良の形態】
【０００６】以下、本発明の実施の形態について説明をする。
（イ）靴の前方上部に開口部を設け、周りにマジックテープ又はファスナー等（１）を付ける。
（ロ）開口部の内側にメッシュ又はネット等（２）を付ける。
本発明は以上の構成からなる、足むれと寒さ防止靴である。
以下、使用方法について説明する。
夏は仕事上で対外的に開けられない場合は、ふたをして、休息のときにすべてを取ったり、後ろだけ開けたり、又は、前だけ開けて通気を良くして足のむれを防ぐ。
又、冬は中のメッシュ又はネット等（２）の上に使い捨てカイロ（３）を入れて閉め、使い捨てカイロ（３）による低温やけどを防ぎながら寒さを防止する。
以上により、年間を通して使用できる靴である。
【図面の簡単な説明】
【０００７】
【図１】  本発明の斜視図
【図２】  本発明の原理説明図
【図３】  本発明の使用説明図
【符号の説明】
【０００８】  １はマジックテープ又はファスナー等
２はメッシュ又はネット等
３は使い捨てカイロ
【図１】
2008194417.tif 000003
【図２】
2008194417.tif 000004
【図３】
2008194417.tif 000005
(57)【要約】【課題】従来の浴槽内で使用することにより、半身浴や腰湯を可能にし、高齢者や幼児の入浴時の補助具としても使用できる。乳児を抱いて入浴する時も、本案に腰掛ける事により負担無く入浴させられる。【解決手段】浴槽内で使用ることにより、節水できる。【選択図】図１
2008194415.tif 000002
【特許請求の範囲】
【請求項１】
浴槽内で腰湯、半身浴が容易にできる
高齢者や幼児の入浴時の踏み台や、補助台となる
【請求項２】
装置内に湯や水を取り入れるためのキャップを設ける
滑り止めを備えている
【請求項３】
取っ手を備え付けて取り扱いを容易にする
【発明の詳細な説明】
【技術分野】
【０００１】浴槽内へ本装置を沈めて使用することにより節水および沸かすエネルギーの節約になる
【背景技術】
【０００２】入浴時の使用水量を減らす事と、温度上昇のためのエネルギー節減
【発明の開示】
【発明が解決しようとする課題】
【０００３】節水・省エネルギー
高齢者・幼児の入浴時の事故防止
【課題を解決するための手段】
【０００４】本装置に湯または水を注入して浴槽内で使用する
【発明の効果】
【０００５】通常の浴槽で本装置に腰掛けることにより腰湯・半身浴が容易にできる
高齢者の入浴時に浴槽内の踏み台となり事故防止になる
幼児の入浴時の事故防止と乳児の沐浴に保護者が抱いて入浴しやすい
【図面の簡単な説明】
【０００６】
【図１】本装置の立面図
【図２】本装置の側面図
【図３】本装置の平面図
【符号の説明】
Ａ：湯または水の取捨用キャップ
Ｂ：取っ手
Ｃ：滑り止め
Ｄ：上部滑り止め
【図１】
2008194415.tif 000003
【図２】
2008194415.tif 000004
【図３】
2008194415.tif 000005
(57)【要約】【課題】パペットの内部に、人の手指以外の収納空間を設けるときに、内部収納物の出し入れのための出入り口が、パペットの美観を損ねるという問題点がある。【解決手段】本発明では、内部に人の手指を入れるパペットにとっては絶対に無くすことが出来ない手指の挿入口を内部収納空間の出入り口と共用させることで、収納空間を設けることによる美観の低下を解消した。【選択図】図１
2008194416.tif 000002
【特許請求の範囲】
【請求項１】
人形の内部に入れた人の手指の動きで外形が変化し、内部に収納空間を有する人形において、人の手指を入れる挿入口と収納空間の出入り口とを共通としたことを特徴とする人形。
【請求項２】
人形の内部に収納する物が、電子楽器またはその構成要素であることを特徴とする請求項１の人形。
【発明の詳細な説明】
【技術分野】
【０００１】  本発明は、人の手指の動きで外形が変化する人形の内部の収納空間構造に関する。
【背景技術】
【０００２】  内部に入れた人の手指の動きで外形が変化する人形の内部に、人の手指以外の、音の発生機構、電気的な発光装置、機械的な動きを与る装置、または菓子等を収納する用途がある。【０００３】  以下、内部に入れた人の手指の動きで外形が変化する人形をパペットと呼称する。【０００４】  パペット内部に電子機器を組み込む場合、長期に渡って使うためには電池の出し入れであるとか、装置の保守のために装置自体も出し入れ出来る出入り口を設ける必要がある。また、菓子等の収納空間として使用するときには、頻繁に出し入れする必要がある。
【発明の開示】
【発明が解決しようとする課題】
【０００５】  パペットは人に見せるためのものであるから、美的に優れていることが望まれる。一般的にパペットに収納空間がある場合は、その出入り口は美観を考慮して人形の胴体の最下部に置かれることが多いが人形の美観にとっては阻害要因であることは変わりは無い。
【課題を解決するための手段】
【０００６】  本発明では、内部に人の手指を入れるパペットにとっては絶対に無くすことが出来ない手指の挿入口を内部収納空間の出入り口と共用させた。
【発明の効果】
【０００７】  上述したように本発明では、内部に人の手指を入れるパペットにとっては絶対に無くすことが出来ない手指の挿入口を、内部収納空間の出入り口と共用させることで、パペットに収納空間を設けることによる美観の阻害を解消することが出来る。【０００８】  出入り口を共用させると、電池を使用する場合に電池を上から出し入れするレイアウトが取り易い。この場合に電池ボックスから電池が外れにくくなり、信頼性が向上する。
【発明を実施するために最良の形態】
【０００９】  以下、本発明の実施の形態を図１，２に基づいて説明する。
【００１０】  パペットの内部に収納空間を設ける場合は、収納空間は人形の腹部に配置することが最も空間を確保し易い。この場合に手指の挿入口を人形の背中に設けて、内部収納空間の出入り口と共用することが良い。
【００１１】  また、手指を挿入する空間と収納空間の間には必要に応じてファスナーやマジックテープを使用して開閉自在な内部空間間仕切りを設けても良い。
【００１２】  パペット内部に電子楽器を組み込む場合について述べる。
電子楽器には良好な音質が望まれる。電子楽器の発音部は通常スピーカーであるが、スピーカーは一般的にその大きさが大きいほど音質の向上に有利であり、大きな音も出しやすい。
【００１３】  このためパペット内部に大きな空間を確保することが望ましいが、そのためにはパペットの腹部にスピーカーボックスを配置することが有利である。
また、電池も必要であるが、電池は重量があるのでパペットの中央よりも下に配置することが重量のバランスを取る上でも適当である。
【００１４】  このように大きなスピーカーボックスと電池を収納し、時には保守のために出し入れするには大きな開口部が必要となる。開口部が大きいほどに美観を損なう程度は大きくなる。このためもともとある大きな開口部である手指の挿入口を収納空間の出入り口と共用することで美観を損なう程度は最少にすることが出来る。
【００１５】  また、図２では電池ボックスをスピーカーボックスの上に配置している。図３のように胴体の最下部に開口部を設けると、電池は出し入れの関係で下向き取り付けることが多くなり、電池ボックスから外れる可能性が高まるが、本発明では電池ボックスから電池が外れにくくなり、信頼性が向上する。
【図面の簡単な説明】
【００１６】
【図１】  本収納構造を有する典型的なパペットの一例の縦断面である。
【図２】  電子楽器に応用したときの本収納構造の一例の縦断面である。
【図３】  従来の収納構造の典型的な一例の縦断面である。
【符号の説明】
【００１６】    １  人の手指
２  手指の挿入口
３  収納空間
４  収納空間出入り口
５  電池ボックス
６  スピーカーボックス
７  内部空間間仕切り
【図１】
2008194416.tif 000003
【図２】
2008194416.tif 000004
【図３】
2008194416.tif 000005
(57)【要約】【課題】  一般的に使用される紙製及びビニール製の手さげ袋の持ち手部分は細い紐状であり、中身が重い場合あるいは長時間持っていると手指にくい込んで苦痛となる。従来の持ち手具を使用しても手指の苦痛は改善されるが、持ち手と掛け部の位置が別々の為に不規則な揺れを生じて歩行しにくい点や形状的に収納しにくい問題がある。【解決手段】  手さげ袋３の持ち紐４を通す様に、通し溝２を設けた棒形状の手さげ袋の持ち手具１とした物である。【選択図】  図１
2008194541.tif 000002
【特許請求の範囲】
【請求項１】
手さげ袋の持ち紐を通す様に、通し溝を設けた棒形状の手さげ袋の持ち手具。
【発明の詳細な説明】
【技術分野】
【０００１】
本発明は、手さげ袋の使用性の向上を図った手さげ袋の持ち手具に関する。
【背景技術】
【０００２】
従来の手さげ袋の持ち手具には、棒状部材の先端を曲げ加工して掛け部を設けた商品がある。
【発明の開示】
【発明が解決しようとする課題】
【０００３】
一般的に使用される紙製及びビニール製の手さげ袋の持ち手部分は細い紐状であり、中身が重い場合あるいは長時間持っていると手指にくい込んで苦痛となる。従来の持ち手具を使用しても手指の苦痛は改善されるが、持ち手と掛け部の位置が別々の為に不規則な揺れを生じて歩行しにくい点や形状的に収納しにくい問題がある。
【０００４】
本発明は、上記課題を解決しようとなされた物である。
【課題を解決するための手段】
【０００５】
本発明は上記目的を達成する為に手さげ袋の持ち紐を通す様に、通し溝を設けた棒形状の手さげ袋の持ち手具とした物である。
【０００６】
使用方法としては、手さげ袋の持ち紐を持ち手具の通し溝に落とし込んで手の平で持ち手具を握る。
【発明の効果】
【０００７】
上述した様に本発明の手さげ袋の持ち手具は、手指への接する面積が広いのでくい込まず苦痛を防止できる。持ち手具と持ち紐の位置が同一の為に不規則な揺れが生じないので歩行しやすく、手さげ袋を落下させることもない。形状が簡素でありバッグやポケットにも収納しやすく携帯性に優れる。本発明は手さげ袋の使用性を向上させる効果がある。
【発明を実施するための最良の形態】
【０００８】
本発明の実施の形態を図１〜図２に基づいて説明する。図１において１は持ち手具であり、通し溝２が設けられる。３は手さげ袋であり、持ち紐４が形成される。
【０００９】
大きさは長さ１０ｃｍ程度、円形断面とした場合は直径３ｃｍ程度、楕円断面とした場合は長方向３．５ｃｍ短方向２．５ｃｍ程度で良い。全長をゆるやかに湾曲しても良いし、三角形に近い断面形状としても良い。両端全体に丸身を付けて加工しても良い。材質は木製、プラスチック製、金属製など多種可能である。スライド式等の方法で蓋を付属しても良い。通し溝２は両端部をゆるやかに湾曲しても良い。
【００１０】
図２において５は従来の持ち手具であり、掛け部６が設けられる。
【図面の簡単な説明】
【００１１】
【図１】本発明に係る持ち手具の斜視図と横面図である。
【図２】従来の持ち手具の横面図である。
【符号の説明】
【００１２】
１  持ち手具
２  通し溝
３  手さげ袋
４  持ち紐
５  従来の持ち手具
６  掛け部
【図１】
2008194541.tif 000003
【図２】
2008194541.tif 000004